(57)【要約】      （修正有）【課題】アンテナを形成する金属部品とRFIDメモリタグとの間のエネルギー及び／又はデータ伝達を改善する医療用又は歯科用機器を提供する。【解決手段】医療用又は歯科用機器１に関し、金属機器部品２と、データを記憶するためのメモリチップを有するRFIDメモリタグ３とを備え、そのRFIDメモリタグ３は、金属機器部品に電気接続されるよう医療用又は歯科用機器に取り付けられ、これにより金属機器部品が、無線によるエネルギー及び／又はデータ伝達が行われるRFIDメモリタグ用のアンテナ５を形成する。アンテナを形成する金属機器部品に、RFIDメモリタグを電気接続する導電性結合要素６が設けられ、導電性結合要素は、RFIDメモリタグが配置されると共に、平面的な第１結合面、並びにアンテナを形成する金属機器部品上に配置された第２結合面を有する。更に、本発明は、対応する医療用又は歯科用機器の製造又は改造方法にも関する。【選択図】図１
2020099681.tif 000002
【特許請求の範囲】
【請求項１】
医療用又は歯科用機器（１）であって、金属機器部品（２）と、データを記憶するためのメモリチップ（４）を有するRFIDメモリタグ（３）とを備え、該RFIDメモリタグ（３）が、前記金属機器部品（２）に電気接続されるよう前記医療用又は歯科用機器（１）に取り付けられ、これにより前記金属機器部品（２）が、遠隔の読み取り及び／又は書き込み装置との間で無線によるエネルギー及び／又はデータ伝達が行われる前記RFIDメモリタグ（３）用のアンテナ（５）を形成している医療用又は歯科用機器において、
アンテナ（５）を形成する前記金属機器部品（２）に、前記RFIDメモリタグ（３）を電気接続する導電性結合要素（６）を備え、該導電性結合要素（６）が、前記RFIDメモリタグ（３）が配置されると共に、実質的に平面的な第１結合面（７）、並びに前記アンテナ（５）を形成する前記金属機器部品（２）上に配置された第２結合面（８）を有することを特徴とする医療用又は歯科用機器。
【請求項２】
請求項１に記載の医療用又は歯科用機器（１）であって、前記金属機器部品（２）が、第１屈曲部（９）を有し、前記導電性結合要素（６）の前記第２結合面（８）が、前記金属機器部品（２）の前記第１屈曲部（10）に相補的な第２屈曲部（９）を有し、前記第１屈曲部（９）及び前記第２屈曲部（10）が、アンテナ（５）を形成する前記金属機器部品（２）に前記RFIDメモリタグ（３）を電気接続するために連結されていることを特徴とする医療用又は歯科用機器。
【請求項３】
請求項１又は２に記載の医療用又は歯科用機器（１）であって、前記金属機器部品（２）が、円筒状又は中空円筒状の構成を有することを特徴とする医療用又は歯科用機器。
【請求項４】
請求項１〜３の何れか一項に記載の医療用又は歯科用機器（１）であって、前記金属機器部品（２）が、スリーブ状の構成を有することを特徴とする医療用又は歯科用機器。
【請求項５】
請求項４に記載の医療用又は歯科用機器（１）であって、前記スリーブ状の金属機器部品（２）が、前記医療用又は歯科用機器（１）における要素のためのグリップスリーブ又は外側シェル（11）又は軸受スリーブの少なくとも一部、又は前記医療用又は歯科用機器（１）を結合部分に取り外し可能に接続するための結合スリーブ（12）の少なくとも一部を含むことを特徴とする医療用又は歯科用機器。
【請求項６】
請求項１〜５の何れか一項に記載の医療用又は歯科用機器（１）であって、前記導電性結合要素（６）が、前記RFIDメモリタグ（３）の少なくとも一部、並びにアンテナ（５）を形成する前記金属機器部品（２）と共に、容量性エネルギー及び／又はデータ伝達用のキャパシタ（13）を形成していることを特徴とする医療用又は歯科用機器。
【請求項７】
請求項１〜６の何れか一項に記載の医療用又は歯科用機器（１）であって、前記導電性結合要素（６）が、アンテナ（５）を形成する前記金属機器部品（２）に前記RFIDメモリタグ（３）を接着させつつ電気接続する導電性接着剤（6A）を含むことを特徴とする医療用又は歯科用機器。
【請求項８】
請求項７に記載の医療用又は歯科用機器（１）であって、前記接着剤（6A）が、導電性粒子を含むことを特徴とする医療用又は歯科用機器。
【請求項９】
請求項１〜８の何れか一項に記載の医療用又は歯科用機器（１）であって、前記導電性結合要素（６）が、導電性成形要素（6B）を含むことを特徴とする医療用又は歯科用機器。
【請求項１０】
請求項９に記載の医療用又は歯科用機器（１）であって、前記導電性成形要素（6B）が、完全に金属より成る成形要素又は金属粒子を含むキャリア材料で形成されていることを特徴とする医療用又は歯科用機器。
【請求項１１】
請求項１〜１０の何れか一項に記載の医療用又は歯科用機器（１）であって、前記導電性結合要素（６）が、プレート状に形成され及び／又は少なくとも１つの曲面（14）を有することを特徴とする医療用又は歯科用機器。
【請求項１２】
請求項１〜１１の何れか一項に記載の医療用又は歯科用機器（１）であって、前記RFIDメモリタグ（３）が、前記メモリチップ（４）用のキャリア（15）、前記メモリチップ（４）に電気接続された少なくとも１つの導電体（16）、並びに電気絶縁保護層（17）を更に有することを特徴とする医療用又は歯科用機器。
【請求項１３】
請求項１〜１２の何れか一項に記載の医療用又は歯科用機器（１）であって、該医療用又は歯科用機器（１）に固定されたキャップ（18）が設けられ、前記RFIDメモリタグ（３）及び特に前記導電性結合要素（６）も包囲していることを特徴とする医療用又は歯科用機器。
【請求項１４】
請求項１３に記載の医療用又は歯科用機器（１）であって、前記キャップ（18）が、前記導電性結合要素（６）を更に包囲していることを特徴とする医療用又は歯科用機器。
【請求項１５】
医療用又は歯科用機器（１）の製造方法又は改造方法であって、
金属機器部品（２）を備える医療用又は歯科用機器（１）を提供するステップと、
データを記憶するためのメモリチップ（４）を有するRFIDメモリタグ（３）を提供するステップと、
前記RFIDメモリタグ（３）を前記導電性結合要素（６）により前記医療用又は歯科用機器（１）に取り付けて前記RFIDメモリタグ（３）を前記金属機器部品（２）に電気接続し、これにより前記金属機器部品（２）で前記RFIDメモリタグ（３）用のアンテナ（５）を形成し、該アンテナ（５）により、前記RFIDメモリタグ（３）及び遠隔の読み取り及び／又は書き込み装置の間でエネルギー及び／又はデータを無線伝達可能とし、前記導電性結合要素（６）を、前記RFIDメモリタグ（３）が配置される実質的に平面的な第１結合面（７）、並びにアンテナ（５）を形成する前記金属機器部品（２）が配置される第２結合面（８）を有するものとするステップと、
を含むことを特徴とする方法。
【請求項１６】
請求項１５に記載の医療用又は歯科用機器の製造方法又は改造方法であって、前記金属機器部品（２）が、第１屈曲部（９）を有し、前記導電性結合要素（６）の前記第２結合面（８）が、前記金属機器部品（２）の前記第１屈曲部（10）に相補的な第２屈曲部（９）を有し、前記第１屈曲部（９）及び前記第２屈曲部（10）が、アンテナ（５）を形成する前記金属機器部品（２）に前記RFIDメモリタグ（３）を電気接続するために連結されていることを特徴とする方法。
【発明の詳細な説明】
【技術分野】
【０００１】
本発明は、RFIDメモリタグを備える医療用又は歯科用機器、並びにそのような医療用又は歯科用機器を製造又は改造（レトロフィット）するための方法に関する。
【背景技術】
【０００２】
従来技術、例えば特許文献１（米国特許出願公開第2010/0219252号明細書）には、メモリチップを備えるRFIDメモリタグが記載されている。このメモリチップを備えるRFIDメモリタグは、飲料缶などの装置における金属部分に電気接続されることにより、金属部分がRFIDメモリタグ用のアンテナとして機能し、遠隔の読み取り及び／又は書き込み装置との間で無線によるエネルギー及び／又はデータの伝達が行われる。この場合、RFIDメモリタグは、従来のRFIDメモリタグに比べて小さなアンテナしか必要としないため、小型化が有利に可能である。
【先行技術文献】
【特許文献】
【０００３】
【特許文献１】米国特許出願公開第2010/0219252号明細書
【発明の概要】
【発明が解決しようとする課題】
【０００４】
本発明の課題は、特に、アンテナを形成する金属部品が医療用又は歯科用機器の一部である場合に、アンテナを形成する金属部品とRFIDメモリタグとの間のエネルギー及び／又はデータの伝達を改善することである。
【課題を解決するための手段】
【０００５】
この課題は、請求項１の特徴を有する医療用又は歯科用機器、並びに請求項14の特徴を有するそのような医療用又は歯科用機器の製造又は改造方法により解決される。特に有利な実施形態は、従属請求項に記載したとおりである。
【０００６】
本発明に係る医療用又は歯科用機器は、金属機器部品と、データを記憶するためのメモリチップを有するRFIDメモリタグとを備え、そのRFIDメモリタグは、金属機器部品に電気接続されるよう医療用又は歯科用機器、特に金属機器部品に取り付けられ、これにより金属機器部品は、遠隔の読み取り及び／又は書き込み装置との間で無線によるエネルギー及び／又はデータ伝達が行われるRFIDメモリタグ用のアンテナを形成する。医療用又は歯科用機器は、アンテナを形成する金属機器部品に、RFIDメモリタグを電気接続する導電性結合要素を更に備え、導電性結合要素は、RFIDメモリタグが配置されると共に、実質的に平面的な第１結合面、並びにアンテナを形成する金属機器部品上に配置された第２結合面を有する。
【０００７】
医療用又は歯科用機器に対応する製造又は改造方法は、金属機器部品を備える医療用又は歯科用機器を提供するステップと、データを記憶するためのメモリチップを有するRFIDメモリタグを提供するステップと、RFIDメモリタグを導電性結合要素により医療用又は歯科用機器に取り付けてRFIDメモリタグを金属機器部品に電気接続し、これにより金属機器部品でRFIDメモリタグ用のアンテナを形成し、そのアンテナにより、RFIDメモリタグ及び遠隔の読み取り及び／又は書き込み装置の間でエネルギー及び／又はデータを無線伝達可能とし、導電性結合要素を、RFIDメモリタグが配置される実質的に平面的な第１結合面、並びにアンテナを形成する金属機器部品が配置される第２結合面を有するものとするステップとを含む。
【０００８】
実際の実験において、RFIDメモリタグが配置された実質的に平面的な第１結合面、並びにアンテナを形成する金属機器部品上に配置された第２結合面を有する導電性結合要素を設けることにより、エネルギー及び／又はデータ伝達が改善又は大幅に向上した。特定の仮定に縛られることなく推定するならば、導電性結合要素、特に、平面的な第１結合面及び第２結合面を設けることにより、RFIDメモリタグと金属機器部品との間の（損失的な）容量効果に基づくエネルギー及び／又はデータ伝達に好ましい影響が及ぶ。平面的な第１結合面は、特にエネルギー及び／又はデータ伝達にとって最適な接触面又は伝達面を有利に形成する。
【０００９】
金属機器部品は、好適には、第１屈曲部を有し、導電性結合要素の第２結合面は、金属機器部品の第１屈曲部に相補的な第２屈曲部を有し、第１屈曲部及び第２屈曲部は、アンテナを形成する金属機器部品にRFIDメモリタグを電気接続するために連結されている。
【００１０】
医療用又は歯科医用機器の製造方法又は改造方法においては、好適には、金属機器部品は、第１屈曲部を有し、導電性結合要素の第２結合面は、金属機器部品の第１屈曲部に相補的な第２屈曲部を有し、第１屈曲部及び第２屈曲部は、アンテナを形成する金属機器部品にRFIDメモリタグを電気接続するために連結されている。
【００１１】
金属機器部品の第１屈曲部に相補的な形状を持つ第２屈曲部を有する第２結合面を形成することは、有利には、RFIDメモリタグとアンテナを形成する湾曲金属機器部品との間のエネルギー及び/又はデータの伝達又は結合を顕著に改善させる。なぜなら、第２湾曲結合面により、（平面的な）メモリタグと湾曲金属機器部品との間のエネルギー及び/又はデータに関して拡大接触面又は伝達面が形成されるからである。このことは、多数の湾曲機器部品を備える医療用又は歯科用機器において特に有利である。湾曲した第２結合面を有するそのような導電性結合要素は、特に医療用又は歯科用機器の改造も容易に可能にする。この場合、（実質的に平坦な外側を有するよう形成された）RFIDメモリタグは、湾曲した第２結合面を有する導電性結合要素の助けを借りて、医療用又は歯科用機器における湾曲した外側又はグリップスリーブに配置又は固定することができる。医療用又は歯科用機器は、好適には、直線的ハンドピース又は角度付きハンドピースとして構成されている。
【００１２】
第１屈曲部及び第２屈曲部は、好適には、間隔をあけずに及び/又は互いに接触して連結されている。第１屈曲部及び第２屈曲部は、好適には、特にその三次元形態において、互いに幾何学的に相補的である。第１屈曲部及び第２屈曲部は、好適には、２つの屈曲部の一方は凹状に形成され、２つの屈曲部の他方は凸状に形成されている。これら構成は、有利には、エネルギー及び／又はデータの伝達に更なる改善をもたらす。
【００１３】
医療用又は歯科用機器は、特に片手で保持可能な機器として構成されている。医療用又は歯科用機器は、特に診断機器及び／又は治療機器として構成されている。医療用又は歯科用機器は、好適には、以下の要素のうちの少なくとも１つ、即ち、直線形状又は湾曲形状又はピストル形状のハンドピースと、グリップ部の長手方向軸線に対して器具を角度付きで取り付け可能なコントラアングルハンドピースと、ハンドル要素と、電磁放射を放出するよう設けられる手段と、流体を放出するよう設けられる手段と、診断及び／又は治療媒体を放出するよう設けられる手段と、振動、特に超音波振動を生じさせるよう設けられる手段と、器具を駆動させると共に、特に空圧又は電気駆動モータを有するモータユニットと、画像キャプチャ装置、特にカメラを有する手段と、媒体源、特に液体源、ガス源、又は電気エネルギー源に接続するための結合要素と、アダプタユニットとを含む。
【００１４】
RFIDメモリタグは、好適には、特に（短い）アンテナ部分を有し、そのアンテナ部分は、アンテナを形成する金属機器部品と共に協働することによって（のみ）、遠隔の読み取り及び／又は書き取り装置との間のエネルギー／又はデータ伝達のための十分な読み取り及び／又は伝達範囲が実現される。これにより、有利には、RFIDメモリタグを小型化し、従って医療用又は歯科用機器上における所要スペースが低減される。
【００１５】
RFIDメモリタグは、好適には、医療用又は歯科用機器に取り付けられる前は、独立した及び／又は予め製造された部品である。RFIDメモリタグ及び医療用又は歯科用機器は、好適には、特にRFIDメモリタグが医療用又は歯科用機器に取り付けられる前は、独立した及び／又は予め製造されたユニットとして機能する。RFIDメモリタグ及び医療用又は歯科用機器は、RFIDメモリタグが医療用又は歯科用機器に取り付けられた後は、作動ユニット、特に通信ユニットとして機能する。予め製造されたスタンドアローンのRFIDメモリタグは、有利には、医療用又は歯科用機器への固定又は取り付けを容易にする。
【００１６】
RFIDメモリタグは、以下の手段の少なくとも１つ、即ち、接着剤、成形又は射出成形材料、特にプラスチック、はんだ材料、医療用又は歯科用機器に機械的に接続可能な要素によって医療用又は歯科用機器に配置又は取り付けられる。機械的要素は、例えば、RFIDメモリタグが設けられると共に、医療用又は歯科用機器の部分上、例えば、端部部分又は結合部分上に押し付け可能な接続リングを含む。機械的要素は、RFIDメモリタグへの又はRFIDメモリタグからのエネルギー及び／又はデータ伝達の影響を回避するため、好適には、電気的に非導電性の材料、例えば、プラスチック又はセラミックで構成されている。上述した手段は、医療用又は歯科用機器へのRFIDメモリタグの簡単かつ迅速な取り付け及び／又は医療用又は歯科用機器の改造をするのに有利である。
【００１７】
RFIDメモリタグと遠隔の読み取り及び／又は書き取り装置との間のデータ伝達は、単方向であってもよいし双方向であってもよい。即ち、RFIDメモリタグのメモリチップは、データの読み出しのみが可能な「読み出し専用メモリ」（ROMメモリ)として構成されているか(単方向データ伝達)、書き込みが繰り返し可能であると共に、データの読み出しが可能な「読み書きメモリ」として構成されている(双方向データ伝達)。
【００１８】
特に第１屈曲部を有する金属機器部品は、好適には、円筒状又は中空円筒状であり、とりわけ円筒状又は中空円筒状の金属機器部品における外面の湾曲によって形成されている。代替的又は付加的に、特に第１屈曲部を有する金属機器部品は、スリーブ状であるか又は医療用又は歯科用機器のスリーブを有する。スリーブ状の金属機器部品は、好適には、医療用又は歯科用機器における要素、例えばシャフトのためのグリップスリーブ又は外側シェル又は軸受スリーブの少なくとも（金属）部分であるか、又は医療用又は歯科用機器を結合部分、例えば器具、モータ、又はアダプタに取り外し可能に接続するための結合スリーブの少なくとも一部である。金属機器部品は、好適には、管又はパイプとして構成されている。これにより、有利には、医療用又は歯科用機器における既存の構成要素をRFIDメモリタグ用のキャリアとして、特に改造のために使用可能である。
【００１９】
金属機器部品は、好適には、平面的に形成されるか又はRFIDメモリタグが配置される平面を有する。平面的な金属機器部品は、例えば、医療用又は歯科用機器の内部壁（又は壁部分）として、又は作動要素、好適には、特に器具保持装置を作動させるための押しボタン又は圧力カバーとして構成されている。
【００２０】
RFIDメモリタグは、好適には、医療用又は歯科用機器の外側に配置され、特に好適には、グリップスリーブ又は外側シェルの外側にとりわけ第１屈曲部を有する金属機器部品の外側に配置されている。これにより、有利には、医療用又は歯科用機器に関してRFIDメモリタグの取り付け及び／又は改造が容易になる。更に、グリップスリーブ又は外側シェルの長さにより、アンテナとして特に有利に使用可能であり、従ってエネルギー及び／又はデータ伝達を特に信頼性高く行うことができる。
【００２１】
特に円筒状又は中空円筒状のグリップスリーブ又は外側シェルは、好適には、複数部分で構成されている。グリップスリーブ又は外側シェルは、好適には、管状に構成されるか、及び／又は、医療用又は歯科用機器における特に１個以上の構成要素、例えば駆動装置の一部及び／又は媒体管、供給管及び／又はデータ管を保持するために内部が中空である。グリップスリーブ又は外側シェルは、好適には、その長手方向軸線に沿って（角度＞０°で）少なくとも２つの角度付き部分又は湾曲部分を含む。
【００２２】
RFIDメモリタグは、好適には、医療用又は歯科用機器内、特にハンドピース又はコントラハンドピース内、例えば、医療用又は歯科用機器における要素のための軸受スリーブ上、又は医療用又は歯科用機器における結合スリーブ上に配置されている。RFIDメモリタグは、好適には、医療用又は歯科用機器内の構成要素に配置されるか又は取り付けられている。これにより、RFIDメモリタグは、汚れ又は湿気などの外部の影響に対して特に良好に保護される。
【００２３】
導電性結合要素は、好適には、RFIDメモリタグの少なくとも一部、並びにアンテナを形成する金属機器部品は、特に等価回路において、容量性エネルギー及び／又はデータ伝達用のキャパシタを形成している。従って、医療用又は歯科用機器の製造方法又は改造方法は、アンテナを形成する金属機器部品に、導電性結合要素及びRFIDメモリタグを取り付けるか又は接続することにより、容量性エネルギー及び／又はデータ伝達用のキャパシタを形成することを含む。キャパシタは、有利には、RFIDメモリタグからの及び／又はRFIDメモリタグへのエネルギー及び／又はデータの無線伝達を可能にする。
【００２４】
導電性結合要素は、好適には、アンテナを形成する金属機器部品にRFIDメモリタグを、特に分離不可能に接着させつつ電気接続する導電性接着剤を含む。これにより、RFIDメモリタグは、特に、医療用又は歯科用機器、好適には、金属機器部品に接着される。導電性接着剤は、好適には、少なくとも１種のポリマー化合物及び／又は少なくとも１種の有機化合物及び／又は少なくとも１種のシリコーン化合物を含む。導電性接着剤中には、好適には、導電性粒子、例えば金属粒子、特に銅、銀、又は金の粒子が設けられ及び／又は分散されている。（RFIDメモリタグと金属機器部品との間の接着による接続を確立する前において）導電性接着剤は、好適には、液体であるか又は液化することができる。導電性接着剤は、硬化可能か、又はRFIDメモリタグと金属機器部品との間の接続が確立された後に硬化することができる。第１及び第２の特に湾曲結合面は、好適には、RFIDメモリタグ及び金属機器部品を互いに接触させるか又は当接させることにより及び／又は硬化時に、導電性接着剤をRFIDメモリタグ及び／又は金属機器部品に塗布した後に形成される。導電性接着剤の使用は、RFIDメモリタグと金属機器部品との間の電気接続のみならず、RFIDメモリタグの医療用又は歯科用機器への取り付けの両方を可能にするため特に有利である。
【００２５】
導電性結合要素は、好適には、導電性成形要素を含む。導電性成形要素は、RFIDメモリタグが配置される実質的に平面的な第１結合要素、並びに特に金属機器部品の第１屈曲部に相補的な第２屈曲部を有する第２結合面を有する。導電性成形要素は、好適には、完全に金属製の成形要素又はキャリア材料、例えば、金属粒子が内部に配置及び／又は分散されたプラスチック又はセラミックによって形成されている。導電性結合要素として（固体の）成形要素を使用すれば、有利には、アセンブリ、特にRFIDメモリタグ及び／又は金属機器部品への結合要素の接続が容易になる。
【００２６】
導電性成形要素は、接着剤を使用して医療用又は歯科用機器、特に金属機器部品に取り付けられるのが好適である。接着剤は、（上述したように）導電性粒子を含むか、又は導電性粒子を含まない。代替的又は付加的に、導電性成形要素は、RFIDメモリタグを包囲するキャップにより、医療用又は歯科用機器、特に金属機器部品に取り付けられており、そのキャップについては以下により詳細に説明する。キャップは、例えば、RFIDメモリタグを成形又は射出成形することによって形成される。この場合、導電性成形要素は、RFIDメモリタグと共に成形又は射出成形され、及び／又は、導電性成形要素は、RFIDメモリタグを成形又は射出成形することによってキャップに取り付けられる。導電性成形要素は、キャップと医療用又は歯科医用機器、特に金属機器部品との間にクランプすることにより、機器又は部品に取り付けることも可能である。上述した取り付けにより、有利には、導電性結合要素は、特にRFIDメモリタグと共に、簡単で迅速にアセンブリが可能である。また、キャップを別箇の構成要素として製造し、RFIDメモリタグが医療用又は歯科用機器に取り付けられるときに、例えばRFIDメモリタグをキャップにスライドさせて接続することも可能である。
【００２７】
導電性結合要素、特に導電性成形要素は、プレート状であり、及び／又は、少なくとも１つの曲面、特に凹状又は凸状の湾曲を含む表面を有する。導電性結合要素は、特にプレート状に及び／又は接着剤で形成された場合、好適には、複数の側面で接続された２つの対向ベース面を有する。特に好適には、ベース面の少なくとも１つ、特にRFIDメモリタグが配置されるベース面は平面的である。特に好適には、ベース面の少なくとも１つ、特に金属機器部品により近い側のベース面又は金属機器部品に接触するベース面は湾曲している。この湾曲は、好適には、側面の１つから少なくとも１つの湾曲ベース面における中心線に向けて延在している。この場合、成形要素の壁厚は、中心線方向に向けて低下し、特に中央部において最も低下している。記載された形態の導電性結合要素は、有利には、RFIDメモリタグと金属機器部品との間で安定的な接続を確立するため、エネルギー及び／又はデータ伝達を信頼性高く行うことが可能である。特に、プレート状の導電性結合要素は、有利には、RFIDメモリタグと金属機器部品との間の接触面又は結合面を増加させるため、エネルギー及び／又はデータ伝達が改善される。
【００２８】
RFIDメモリタグは、好適には、以下の要素のうちの少なくとも１つ、即ち、メモリチップ用のキャリア、特にセラミックキャリア、メモリチップに電気接続された少なくとも１つの導電体、例えば導電性トラック又は導電性コーティング、電気絶縁保護層、並びに特にセラミックキャリア及びメモリチップに電気接続された導電体を含むアンテナ部分を有する。電気絶縁保護層は、好適には、メモリチップ、メモリチップ用のキャリア、並びにメモリチップに電気接続された導電体を包囲している。
【００２９】
RFIDメモリタグは、好適にはディスク形状、円筒形状、又は直方体形状である。RFIDメモリタグは、好適には、約850 MHz〜980 MHz、又は約2.30 GHz〜2.60 GHzの周波数範囲でデータを伝達するよう構成されている。
【００３０】
医療用又は歯科用機器、特に金属機器部品には、好適には、RFIDメモリタグを包囲するキャップが取り付けられている。特に好適には、キャップは、導電性結合要素に接触し及び／又は包囲している。キャップは、好適には、RFIDメモリタグ及び特に導電性結合要素もシール状態で包囲されるよう金属機器部品に取り付けられ、これにより外部からRFIDメモリタグ内への異物の侵入が回避される。キャップは、好適には、非導電性材料で構成されている。キャップは、好適には、プラスチック又はセラミック又は接着剤で構成されている。キャップは、特に、成形又は射出成形によって形成される。キャップの製造において、好適には、RFIDメモリタグ及び場合によって導電性結合要素は、接着剤又はプラスチック材料で成形又は射出成形され、これによりRFIDメモリタグ及び場合によって導電性結合要素は、特に好適には、医療用又は歯科用機器、特に金属機器部品に固定される。キャップを形成するために使用される材料は、好適には、注型又は射出前は液体であり、注型又は射出後に硬化する。導電性結合要素及びキャップは、好適には、同じ接着剤を含むが、導電性結合要素の接着剤のみが導電性粒子を含み、及び／又は、キャップを形成する接着剤は導電性粒子を含まない。
【００３１】
以下、本発明を、添付図面を参照しつつ好適な実施形態に基づいて説明する。
【図面の簡単な説明】
【００３２】
【図１】RFIDメモリタグと、RFIDメモリタグ用のアンテナを形成する金属機器部品とを備える医療用又は歯科用機器を示す説明図である。
【図２】RFIDメモリタグ用のアンテナを形成する金属機器部品上に配置されたRFIDメモリタグを示す断面図である。
【図３】アンテナを形成する金属機器部品にRFIDメモリタグを電気接続するための導電性結合要素を含むRFIDメモリタグの主要構成要素を示す説明図である。
【図４】アンテナを形成する金属機器部品にRFIDメモリタグを電気接続するための導電性結合要素を示す説明図である。
【図５】アンテナを形成する金属機器部品に導電性結合要素を介して接続されたRFIDメモリタグを示す略図である。
【図６】RFIDメモリタグと、RFIDメモリタグ用のアンテナを形成する金属機器部品とを備える他の医療用又は歯科用機器を示す説明図である。
【図７】図７Ａは、RFIDメモリタグ用のアンテナを形成する金属機器部品上に配置されたRFIDメモリタグを示す他の断面図である。図７Ｂは、RFIDメモリタグ用のアンテナを形成する金属機器部品上に配置されたRFIDメモリタグを示す他の断面図である。
【発明を実施するための形態】
【００３３】
図１及び図６は、歯科用コントラアングルハンドピースとして構成された医療用又は歯科用機器１を示す。コントラアングルハンドピース１は、ヘッド部19と、ヘッド部19に隣接する湾曲ハンドル部20とを備える。ヘッド部19には、医療用又は歯科用治療器具を取り外し可能に保持するために、器具ホルダ22が移動可能に配置されている。ヘッド部19及び／又はハンドル部20には、例えば、１個以上のシャフト、ギア、圧縮ガス管、圧縮ガスで駆動可能なインペラを有する駆動装置が更に設けられている。駆動装置は、器具ホルダ22に作動接続され、器具ホルダ22及びその内部に保持された器具を作動させる。
【００３４】
医療用又は歯科用機器１は、ヘッド部19に設けられたヘッドスリーブ部分、並びにハンドル部20に設けられた屈曲ハンドルスリーブ部分を有する外側シェル11を備える。
【００３５】
医療用又は歯科用機器１のヘッド部19側から離れた端部には、供給ユニット又は歯科ユニット又は外部コントローラ（図示せず）に取り外し可能に接続できる結合装置又は伝達装置21が設けられている。結合装置21は、結合延長部、モータ駆動部、結合要素、又は供給ホースなどを収容するための特に結合スリーブ12を有する。少なくとも１種の媒体、例えば、電気エネルギー、圧縮ガス、特に圧縮空気、水、光、及び／又は、データ、例えば、測定データ、制御又は調整データ、器具の識別などをするための識別データ、作動データ、又は類似のデータは、結合装置21を介して伝達することができる。医療用又は歯科用機器１と供給ユニット又は歯科ユニット又は外部コントローラとの間の少なくとも１種の媒体及び／又はデータの伝達は、単方向であってもよいし双方向であってもよい。
【００３６】
更に、医療用又は歯科用機器１上には、データを記憶するためのメモリチップ４を有するRFIDメモリタグ３が設けられている。RFIDメモリタグ３は、金属機器部品２に電気接続されるようコントラアングルハンドピース１に取り付けられることにより、金属機器部品２がRFIDメモリタグ３用のアンテナ５を形成し、これにより遠隔の読み取り及び／又は書き込み装置との間で無線によるエネルギー及び／又はデータ伝達が行われる。アンテナ５を形成する金属機器部品２は、外側シェル11における少なくとも１つの（金属）部分によって形成され、特にハンドル部20におけるハンドルスリーブ部分の少なくとも一部によって形成されている。
【００３７】
アンテナ５、即ち外側シェル11の少なくとも一部を形成する金属機器部品２にRFIDメモリタグ３を電気接続するために、導電性結合要素６が設けられている。特に図２〜図５に明示されているように、導電性結合要素６は、RFIDメモリタグ３が配置された実質的に平面的な第１結合面７、並びにアンテナ５を形成する金属機器部品２（外側シェル11の少なくとも一部）上に配置された第２結合面８を有する。
【００３８】
特に図２、図５、図7Aに示す一実施形態によれば、金属機器部品２、例えば外側シェル11の一部は、第１屈曲部９を有し、導電性結合要素の第２結合面８は、第１屈曲部９に相補的な金属機器部品２の第２屈曲部10を有する。この場合、第１屈曲部９及び第２屈曲部10は、アンテナ５を形成する金属機器部品２にRFIDメモリタグ３を電気接続するために連結されている。第１屈曲部９と第２屈曲部10との間の接続又は接触は、特に第２結合面８の第２屈曲部10全体に亘って及んでおり、好適には、連続的及び／又は非間隔的である。図２、図５、図7Aによれば、第１屈曲部９は凸状であり、第２屈曲部10は凹状であるが、他の形状であってもよい。
【００３９】
図２に示す導電性結合要素６は、アンテナ５を形成する金属機器部品2，11にRFIDメモリタグ３を接着して電気接続する導電性接着剤6Aを含む。これにより、RFIDメモリタグ３は、特に医療用又は歯科用機器１、好適には、外側シェル11に接着されている。RFIDメモリタグ３とアンテナ５を形成する金属機器部品２との間のエネルギー及び／又はデータ伝達の（結合面の拡大による）改善という上述した利点に加えて、導電性接着剤6Aを使用すれば、RFIDメモリタグ３を医療用又は歯科用機器１、特に金属製外側シェル11又は外側シェル11の一部にとりわけ容易かつ安価に取り付けることも可能になる。更にこの場合、RFIDメモリタグ３を医療用又は歯科用機器１、特に外側シェル11に取り付けることにより、医療用又は歯科用機器１の改造（及び改造方法）も簡単に行うことが可能になる。導電性接着剤6Aは、特に導電性粒子（図示せず）を含む。
【００４０】
図３及び図４に示す導電性結合要素６は、プレート状かつ導電性であり、特に金属又は金属含有の成形要素6Bを含む。成形要素6Bは、第１及び第２結合面7，8を形成する２つの対向ベース面、並びに結合面7，8を接続する複数、例えば４つの側面を有する。RFIDメモリタグ３が配置された第１ベース面又は結合面７は、平面的である。金属機器部品２に接触する第２ベース面又は結合面８は曲げられ、特に凹状に形成されている。特に図４に明示されているように、この第２屈曲部10は、側面の１つから第２ベース面又は結合面８の中心線に向けて延在しているため、成形要素6Bの厚さ又は壁厚が中心線に向けて低下している。
【００４１】
図５は、アンテナを形成する湾曲した金属機器部品２に導電性結合要素６を介して電気接続されたRFIDメモリタグ３の構造及び幾つかの構成要素を概略的に示す。RFIDメモリタグ３はキャリア15、特にメモリチップ４用のセラミックキャリアを有する。キャリア15上には、メモリチップ４に電気接続された少なくとも１つの導電体16、特に導電性コーティングの形態の導電体が設けられ、エネルギー及び／又はデータをメモリチップ４に伝達する。電気絶縁保護層17、例えばワニスは、キャリア15、メモリチップ４、並びに導電体16を包囲している。特にセラミックキャリア15及びメモリチップ４に電気接続された導電体16は、とりわけRFIDメモリタグ３のアンテナ部分を形成しており、そのアンテナ部分は、金属機器部品2，11と協働することにより、読み取り及び／又は書き込み装置にエネルギー及び／又はデータを伝達するためのアンテナ５が形成される。
【００４２】
RFIDメモリタグ３が配置された図５に示す導電性要素６の第１結合面７は、平面的に形成されると共に、ステップによって分離された２つの平面を有する。第２ベース面又は結合面８は湾曲、特に凹状に形成され、アンテナを形成すると共に凸状に湾曲した機器部品２に接触する。
【００４３】
医療用又は歯科用機器１、特にアンテナ５を形成する金属機器部品２及び／又は外側シェル11に固定されたキャップ18により、RFIDメモリタグ３及び特に導電性結合要素６も包囲されている。図１〜図３にも示すキャップ18は、RFIDメモリタグ３及び特に導電性結合要素６もシール状態で包囲されるよう金属機器部品２に固定され、これにより外部からRFIDメモリタグ３内への異物の侵入が回避される。
【００４４】
図５は更に、導電性結合要素６が、RFIDメモリタグ３の少なくとも一部及びアンテナ５を形成する金属機器部品２（外側シェル11の少なくとも一部）と共に、容量性エネルギー及び／又はデータ伝達用のキャパシタ13を形成することを特に等価回路において概略的に示す。キャパシタ13の電極は、特に金属機器部品２、例えば外側シェル11の一部、導電性結合要素６、並びにRFIDメモリタグ３の導電性要素、例えばメモリチップ４に接続されると共に、特に導電性コーティングを有する導電体16によって形成されている。キャパシタ13の誘電体は、特にRFIDメモリタグ３の電気絶縁保護層17を含み、その電気絶縁保護層17は、好適には、少なくともメモリチップ４を包囲している。
【００４５】
図６の実施形態において、RFIDメモリタグ３は、医療用又は歯科用機器１、特に外側シェル11内に一体化されているため、好適には、外側シェル11の僅かに上方にのみ突出するか、外側シェル11と同一平面上に位置するか、又は外側シェル11内に完全に収容されている。特にRFIDメモリタグ３は、図１に示す医療用又は歯科用機器１に関して示されるほどには外側シェル11を越えて突出していない。RFIDメモリタグ３は、好適には、医療用又は歯科用機器１に取り付けられるか又は取り付け可能な電気絶縁部品23上に配置されている。電気絶縁部品23は、例えば、セラミック又はプラスチックで構成されることにより、エネルギー及び／又はデータの伝達が妨害されることがない。電気絶縁部品23は、例えば、医療用又は歯科用機器１の構成要素上に押し付け可能なリング状要素又は湾曲要素を含む。リング状部品又は湾曲部品23は、結合装置21の結合スリーブ12上に押し付けられ、特に１個以上のねじ24で医療用又は歯科用機器１に固定可能である。
【００４６】
図7Aは、医療用又は歯科用機器１内、特に外側シェル11内に一体化されたRFIDメモリタグ３の実現可能な実施形態を示す。上述した実施形態に関して説明したように、図示の実施形態において例えば結合スリーブ12及び／又は外側シェル11の少なくとも一部によって形成された金属機器部品２は、第１屈曲部９を有し、導電性結合要素６の第２結合面８は、第１屈曲部９に相補的な金属機器部品２の第２屈曲部10を有する。第１屈曲部９及び第２屈曲部10は、アンテナ５を形成する金属機器部品２にRFIDメモリタグ３を電気接続するために連結されている。導電性結合要素６は、上述したように、導電性接着剤6A又は成形要素6Bの両方として構成することができる。
【００４７】
図7Bは、医療用又は歯科用機器１内、特に外側シェル11内に一体化されたRFIDメモリタグ３の代替的な実施形態を示す。この場合、例えば、結合スリーブ12及び／又は外側シェル11の少なくとも一部によって形成された金属機器部品２は、RFIDメモリタグ３が配置された平面25を有する。従って、導電性結合要素６の第２結合面８も平面的である。アンテナ５を形成する金属機器部品２にRFIDメモリタグ３を電気接続するため、平面25及び平面的な第２結合面８が互いに接触している。導電性結合要素６は、上述したように、導電性接着剤6A又は成形要素6Bの両方として構成することができる。
【００４８】
本明細書に記載又は図示した実施形態は、特に本発明を説明するのに供するものである。従って、一実施形態に開示された特徴は、その実施形態に限定されるものではなく、他の実施形態のうちの１つにおける１つ以上の特徴と個別に又は一緒に組み合わせることができる。
【図１】
2020099681.tif 000003
【図２】
2020099681.tif 000004
【図３】
2020099681.tif 000005
【図４】
2020099681.tif 000006
【図５】
2020099681.tif 000007
【図６】
2020099681.tif 000008
【図７】
2020099681.tif 000009
【外国語明細書】
2020099681000001.pdf